【事件の表示】
　特願２０１３−　３２９３０「分光カメラ、及び分光画像処理方法」拒絶査定不服審判事件〔平成２６年　９月　８日出願公開、特開２０１４−１６３７２１、請求項の数（５）〕について、次のとおり審決する。
【結　論】
　原査定を取り消す。
　本願の発明は、特許すべきものとする。
【理　由】
 第１　手続の経緯
　本願は、平成２５年２月２２日の出願であって、平成２８年１２月２１日付けで拒絶理由通知がされ、平成２９年２月２１日付けで手続補正がされ、同年６月８日付けで拒絶査定（原査定）がされ、これに対し、同年９月７日に拒絶査定不服審判の請求がされると同時に手続補正がされた。
　その後、平成２９年１１月７日付けで前置報告がされ、当審において平成３０年９月３日付けで拒絶理由通知がされ、同年９月２０日に意見書及び手続補正書が提出されたものである。
第２　本願発明
　本願請求項１−５に係る発明（以下、それぞれ「本願発明１」−「本願発明５」という。）は、平成３０年９月２０日にされた手続補正で補正された特許請求の範囲の請求項１−５に記載された事項により特定される発明であり、本願発明１は以下のとおりの発明である。
「【請求項１】
　撮像対象に対して、照射方向が異なる第一光及び第二光を照射する光源部と、
　前記撮像対象で反射された光を分光して所定の波長の光を選択する分光素子と、
　前記分光素子により選択された波長の光を撮像して、前記撮像対象に前記第一光を照射した際の第一分光画像、及び前記撮像対象に前記第二光を照射した際の第二分光画像を取得する撮像部と、
　基準物に前記第一光または第二光を照射した際に得られる基準光量に対する、前記第一分光画像における光量の比が所定値以上となる画素を異常画素として検出する画素検出部と、
　前記第一分光画像における前記異常画素の光量を、前記第二分光画像における前記異常画素と同位置となる画素の光量に置き換える光量補正部と、
を備え、
　前記光源部は、発光体と、前記発光体から射出される光の進行方向を変更する方向変更部と、
を備え、
　前記方向変更部は、レンズの姿勢を変更するレンズ角度変更部を備え、
　第一の波長の前記第一分光画像における前記異常画素の光量は、前記第一の波長の前記第二分光画像における前記異常画素と同位置となる前記画素の光量に置き換えられ、
　第二の波長の前記第一分光画像における前記異常画素の光量は、前記第二の波長の前記第二分光画像における前記異常画素と同位置となる前記画素の光量に置き換えられることを特徴とする分光カメラ。」
　なお、本願発明２−５の概要は以下のとおりである。
　本願発明２−４は、それぞれ本願発明１を減縮した発明である。
　本願発明５は、本願発明１に対応する方法の発明であり、本願発明１とカテゴリ表現が異なるだけの発明である。
第３　引用文献、引用発明等
１．引用文献１について
　原査定の拒絶の理由に引用された引用文献１（特開２００８−３０４４６６号公報）には、図面とともに次の事項が記載されている。（下線は、当審で付した。）
「【００１８】
　この画像処理システムは、可視光域において互いに独立して異なる複数の波長帯域の照明光により被写体を照明して被写体分光画像を撮影可能な撮影装置１と、この撮影装置１と接続されていて該撮影装置１から出力される被写体分光画像を処理する処理装置２と、を有して構成されていて、該処理装置２は、必要に応じてネットワーク３に接続することができるように構成されている。
【００１９】
　上記
撮影装置１は、本実施形態においては、６種類の波長帯域の照明光（６原色の照明光）を被写体に順次照射して、６枚の被写体分光画像を静止画として取り込む撮像
【００２０】
  上記
撮影装置１は
照明光を被写体に投写するとともに被写体からの反射光を入射するための投射口５ａを備えた筐体５と
上記筐体５内に組み込まれていて点灯されることにより被写体を照明するための照明光を発光する発光素子である第１ＬＥＤ６ａ〜第６ＬＥＤ６ｆと
上記筐体５内に組み込まれていてこれら第１ＬＥＤ６ａ〜第６ＬＥＤ６ｆにより照明された被写体像を結像するための撮像光学系７と
この撮像光学系７により結像された被写体像を撮像して画像信号を出力する撮像素子部に含まれる撮像素子たるＣＣＤ８
この撮影装置１を統括的に制御する制御部たるＣＰＵ１８と
「【００３２】
　次に、図２（Ｂ）は、リング状に発光部６Ａを複数配置していて、かつ、各発光部６Ａ内に６種類の原色を包含するように上記第１ＬＥＤ６ａ〜第６ＬＥＤ６ｆを配置した例を示している。なお、図示の例では、１つの発光部６Ａ内に６原色の全てを配置しているが、これに限らず、３原色ずつを配置するなどの６原色が複数の発光部６Ａに分かれるようにしても構わない。」
「【００３６】
　上述したように、
この撮影装置１は
６原色の被写体分光画像
を撮像することができる
「【０２３８】
  上記
撮影装置１Ａにおいては、それぞれ異なる分光分布特性を有する複数個のＬＥＤからなるＬＥＤ群６Ｘを光源として、その光源により照明される被写体像
が撮影光学系７を介して取り込まれ、撮像素子であるＣＣＤ８によって撮像信号に変換され、メモリ１１に画像データとして記憶される。
「【０２７９】
　図４９は、本実施形態の画像処理システムのブロック構成図である。図５０（Ａ），図５０（Ｂ）は、
正反射する被写体を各色のＬＥＤ光で照明
上記結像時の正反射する被写体と各色のＬＥＤとＣＣＤの配置
ＣＣＤに結像する正反射部分のある画像
撮影装置における正反射部分削除処理
【０２８０】
　本実施形態の画像処理システムは、図４９に示すように正反射の影響のない分光画像を撮影可能である画像撮影部としての撮影装置１Ｃと、画像メモリを有し、上記撮影装置１Ｃで撮影された被写体分光画像信号から高精度色再現画像データを求めるための画像処理部である処理装置２Ｃとを有してなる。
【０２８１】
　上記処理装置２Ｃは、前記第１の実施形態等の画像処理システムに適用された処理装置２と同様の構成，機能を有しており、パーソナルコンピュータを用いてもよい。
【０２８２】
　上記撮影装置１Ｃは、図４９に示すように前記第１乃至第４の実施形態の画像処理システムに適用された撮影装置１（図１，図１７，図２１，図３７）と略同様の構成を有しているが、
特に本撮影装置１Ｃにおいては、後述するように取得した正反射画像データの処理動作
【０２８３】
　上記撮影装置１Ｃでは、被写体７１が正反射するような光沢のある曲面を持つ被写体であった場合でもその画像データからＬＥＤ群６Ｘの各ＬＥＤからの照明光による正反射した高輝度部分を削除し、正反射部分のない画像データが合成処理により求められる。以下、その画像処理について説明する。
【０２８４】
　例えば、
上述した正反射する被写体７１に対して、一例としてそれぞれ異なるリング状の位置に配置されるＬＥＤ６a1，６a2，６a3，６a4の照明光を照射した場合、上記各ＬＥＤから同じ波長の光が発光
それぞれ被写体７１で正反射すると、ＣＣＤ８の結像面上の異なった位置に色づいた高輝度点が結像
画像Ｚ上、異なった位置にＬＥＤ６a1，６a2，６a3，６a4に対応する高輝度ポイントＰａ，Ｐｂ，Ｐｃ，Ｐｄが生じる
【０２８５】
　
撮影装置１Ｃにおいては、上記正反射による高輝度ポイントＰａ，Ｐｂ，Ｐｃ，Ｐｄが正反射部削除処理により除去
上記高輝度点Ｐａ，Ｐｂ，Ｐｃ，Ｐｄの画素データを除いた残りの画像データを加算、または、平均化することによって正反射の高輝度部分のない補正された被写体７１の分光画像データ（ＣＣＤ結像面上Ｚ0 ）が得られる。
【０２８６】
　上記正反射部削除処理について、図５２のフローチャートを用いて説明する。まず、
ステップＳ１３１でＬＥＤ６a1を点灯させ、ステップＳ１３２でそのときの画像データを取得する。その後、ステップＳ１３３〜Ｓ１３８において順次ＬＥＤ６a2，ＬＥＤ６a3，ＬＥＤ６a4を点灯させて、各ＬＥＤ発光時の各画像データを取得する。
【０２８７】
　本第７の実施形態の画像処理システムにおける撮影装置１Ｃによれば、被写体７１が正反射するような被写体であったとしても取得した画像データに上述した正反射削除処理を施すことによって、正反射部分のない分光画像データを得ることができる。」
【図４９】
【図５０】
【図５１】
 
【図５２】
　ここで、引用文献１には、「高輝度ポイント」、「高輝度点」、という用語で記載されているが、「高輝度点」として統一して記載する。
　したがって、上記引用文献１には次の発明（以下、「引用発明」という。）が記載されていると認められる。    
　「撮影装置１Ｃは、
　照明光を被写体に投写するとともに被写体からの反射光を入射するための投射口５ａを備えた筐体５と、
　上記筐体５内に組み込まれていて点灯されることにより被写体を照明するための照明光を発光する発光素子である第１ＬＥＤ６ａ〜第６ＬＥＤ６ｆと、
　上記筐体５内に組み込まれていてこれら第１ＬＥＤ６ａ〜第６ＬＥＤ６ｆにより照明された被写体像を結像するための撮像光学系７と、
　この撮像光学系７により結像された被写体像を撮像して画像信号を出力する撮像素子部に含まれる撮像素子たるＣＣＤ８と、
　この撮影装置１Ｃを統括的に制御する制御部たるＣＰＵ１８と、
　を備え、
　前記第１ＬＥＤ６ａ〜第６ＬＥＤ６ｆは６種類の波長帯域の照明光（６原色の照明光）を被写体に順次照射し、６枚の被写体分光画像を静止画として取り込み、
　正反射する被写体７１に対して、一例として第１ＬＥＤ６ａは、それぞれ異なるリング状の位置に配置されるＬＥＤ６a1、６a2、６a3、６a4を含み、前記それぞれ異なるリング状の位置に配置されるＬＥＤ６a1、６a2、６a3、６a4から同じ波長の光を、正反射する被写体７１に対して順次照射し撮像することで、上記各ＬＥＤ６a1、６a2、６a3、６a4に対応する高輝度点Ｐａ、Ｐｂ、Ｐｃ、Ｐｄが生じた正反射画像データが取得され、
　前記高輝度点Ｐａ、Ｐｂ、Ｐｃ、Ｐｄの画素データを除いた残りの画像データを加算、または、平均化することによって正反射の高輝度部分のない補正された被写体７１の分光画像データを得る撮影装置１Ｃ。」
２．引用文献２について
　また、原査定の拒絶の理由に引用された引用文献２（米国特許出願公開第２０１０／０２４５８３２号明細書）には、図面とともに次の事項が記載されている。
「［００４２］
 FIG. 1 illustrates an imaging spectrometer according to one embodiment. The object being investigated is marked with the reference number 100. The spectrometer comprises imaging optics 110, the task of which is to collect the desired radiation beam from the object 100 and forward it an interferometer 120. In the Fabry-Perot interferometer of the figure, the surfaces, set opposite to each other, of the optically transparent elements 121 are equipped with semi-transparent mirror surfaces 128. The coating used is typically a dielectric or metallic coating. On the surfaces of the elements 121, there are also measurement electrodes 126 set opposite to each other, with the aid of which the distance of the mirrors from each other (mirror gap, length of the pit) can be measured capacitively. In addition, the interferometer 120 comprises a piezo-actuator ring 124, or corresponding mirror-gap adjusting element fitted between the frame 122 and the frame 122 and one of the optical elements 121. Thus, the mirror gap can be adjusted as desired with the aid of the mutual capacitance measurement of the metallized electrodes 126 made in the surface of the mirror, and the ring-shaped piezo-actuator 124. Alternatively, the mirror gap can be adjusted electrostatically.
（当審訳：図１は画像化分光計の一実施形態を示す。検査される対象物は、参照番号１００で示されている。
この分光計は結像光学系１１０を含み、結像光学系は、検査される対象物１００からの所望の放射光を収集し、干渉計１２０にそれを転送するためのものである。
［００４３］
 The radiation beam received from the object can be guided through the interferometer by a collimation stage, which is sufficient to produce a spectrally sliced interference image. The width of the wavelength band of particularly a Fabry-Perot interferometer is strongly dependent on the degree of collimation of the light travelling through it.
（当審訳：
対象物から得られる放射光は、コリメーションステージによって干渉計に案内され、そうすることは分光的に分割された干渉画像を得るのに十分である。
［００４４］
 A semiconductor sensor or similar, which is sensitive to both of the selected wavelength bands separately, is used as the detection element, i.e. the detector 130, in the embodiment illustrated by FIG. 1. In such a sensor, there is a dense matrix of detector elements set either next to each other, or on top of each other in the direction of travel of the light, in which case an electrical response is obtained, from each element of the matrix, from the intensity of the light directed to the element in question, at each selected wavelength band separately. This permits several orders of the interferometer to be exploited in a practical manner.
（当審訳：個別に選択された波長帯に感度がある半導体センサ等、すなわち、図１に示された実施形態における
検出器１３０が検出要素として使用される。
［００４５］
 By way of example, a light source 140 is also attached to the spectrometer of FIG. 1, and is in this case a series of LED lights with different emission wavelength bands. Identical series 140 and 142 are placed on different sides of the optical axis of the spectrometer, in order to achieve even illumination. In such a measurement configuration, images of the object are taken using the selected mirror gap of the Fabry-Perot cavity illuminated by LED of each selected wavelength band.
（当審訳：一例として光源１４０も図１の分光計に取り付けられており、ここでは
光源は異なる発光波長帯を有する一連のＬＥＤ光源である。同一の一連の光源１４０と１４２
Ｆｉｇ．１
　上記引用文献２には、
　「検査される対象物１００からの所望の放射光を収集し、ファブリーペロー干渉計１２０にそれを転送する結像光学系１１０と、
　ファブリーペロー干渉計１２０と、
　対象物１００を照明する異なる発光波長帯を有する一連のＬＥＤ光源１４０、１４２と、
　検出器１３０と、
を備えた画像化分光計であって、
　当該画像化分光計におけるファブリーペロー干渉計１２０に、対象物から得られる放射光が案内され、分光的に分割された干渉画像が得られる画像化分光計」
が記載されている。
　ここで上記引用文献２に記載されている、ファブリーペロー干渉計（１２０）は対象物からの放射光を分光的に分割するためのものであることからすると、当該干渉計（１２０）は、対象物からの反射光を分光する分光素子であるといえる。
　したがって、上記引用文献２には、対象物からの反射光を分光する分光素子と、当該分光素子で分光された光を検出する検出器とを備えた画像化分光計という技術的事項が記載されていると認められる。
３．引用文献３について
　また、原査定の拒絶の理由に引用された引用文献３（特表２０１０−５１５９７１号公報）には、図面とともに次の事項が記載されている。（下線は、当審で付した。）
 「【００１５】
　まず
図２Ａは、カメラ１３１によってキャプチャされた第１の画像２００Ａの表示を示すものであるが、領域１は、カメラ１３１によって受信された画像２００Ａ内の鏡面反射の領域を示す。図２Ｂは、カメラ１３２によってキャプチャされた画像２００Ｂの表示を示す。図２Ｂの領域４は、カメラ１３２によって受信された画像２００Ｂ内の鏡面反射の領域を示す。
【００１６】
　
図１に戻ると、対話型ディスプレイ１００は、２つのカメラ１３１および１３２に接続された画像マージ処理装置１４０を示す。画像マージ処理装置１４０は、２つのカメラからの画像を重ね合わせる任意の機構またはアルゴリズム
画像マージ処理装置は、第１のカメラで撮られた第１の画像の部分にアクセスする（行為３１０）が、たとえ画像の他の部分は鏡面反射を有していても、この第１の部分は鏡面反射がない。画像マージ処理装置は、第２のカメラで撮られた第２の画像の部分にアクセスする（行為３２０）が、たとえ第２の画像の他の部分は鏡面反射を有していても、この第２の部分もまた鏡面反射がない。画像マージ処理装置は、次に２つの部分をマージする（行為３３０）。
【００１７】
　
第１の例において、鏡面反射を含んでいる領域１を除いて、第１の画像２００Ａの全体が撮られるであろう。画像２００Ｂに関しては、領域３のみが撮られる。画像２００Ａの領域１は、鏡面反射を有さないマージした画像を生成するために、画像２００Ｂの領域３と置き換えられてよい。
「【００１９】
　これらの例において、鏡面反射は除去される。しかし、両方のカメラの鏡面反射の領域が重なり合う実施形態もあり得る。例えば、ディスプレイの前部に置かれた対象物は、それが両方のカメラに対する鏡面反射の領域にある場合は、まったく画像化されないことがある。これは好ましいことではないが、本発明の原理は、そのような状況においても鏡面反射を低減するために同様に適用できる。例えば、第２のカメラの画像の部分は、第１のカメラによって受信された鏡面反射の一部分のみを除去するために、使用され得る。」
【図１】
【図２】
【図３】
　したがって、上記引用文献３には、第１のカメラの鏡面反射のない画像部分にと第２のカメラの鏡面反射のない画像部分とをマージして鏡面反射を除去することが記載されており、一例として、鏡面反射を含んでいる領域１を除いて、第１の画像２００Ａの全体を撮り、画像２００Ｂに関しては、領域３のみを撮り、画像２００Ａの領域１は、鏡面反射を有さないマージした画像を生成するために、画像２００Ｂの領域３と置き換えることが記載されている。
　すなわち、引用文献３には、画像２００Ａの鏡面反射領域の画素を画像２００Ｂの対応する位置の画素で置き換えることで鏡面反射を除去する技術的事項が記載されていると認められる。
４．引用文献４について
　また、前置報告で引用された引用文献３（特開２０００−２７６９０１号公報、以下「引用文献４」という。）には、図面とともに次の事項が記載されている。（下線は、当審で付した。）
「【００１６】
【発明の実施の形態】（第１の実施の形態）図１の（ａ）は、
本発明の第１の実施の形態に係る光源装置の構成
【００１７】図１の（ａ）では、
ランプ１の端子部を保持し、これに図示しない電源装置からの電源を電源コード２を介して供給するランプソケット３が、連結部材４にビス５で固定されている。
ランプ１の発する光を集光し、照明光として特定の方向に出射するコレクターレンズ６と赤外線吸収フィルター７が、間隔部材８により所定の間隔をもって共にレンズ枠９とこれにねじ込まれるリング１０により保持されている。
【００１８】
レンズ枠９は、連結部材４にビス１１で固定されており
レンズ枠９は、支持部材１２に設けられた穴に嵌合挿入され、図示しない固定ビスによりセットされる。
【００１９】
支持部材１２にビスで固定された遮光板１３，１４及びハウジング１５は、ランプ１の発する光を周囲に漏らさないようにランプ１を囲んでおり、これらはランプ１の点灯により暖められた空気が遮光板１３，１４とハウジング１５との間から上方に排出され、より低温の外気が下方から流入するように位置している。
【００２０】本光源装置を顕微鏡や検査装置用のマクロ照明として用いる際には、支持部材１２に設けられた取付けネジによりスタンド等に固定して利用する。ハウジング１５の上下には、ハウジング１５内部への異物の進入を防ぐために、格子状の保護カバー２３，２４がビス２５により取り付けられている。
【００２１】一方、図１の（ｂ）に示すように、ミラー１６がミラー保持金具１７ａに接着固定されており、このミラー保持金具１７ａはミラー保持部材１８ａにツマミ１９と軸２０により回動自在に保持されている。また、軸２０とミラー保持部材１８ａとの間にバネワッシャー２１が押しつぶされるように配置されており、これにより、ミラー保持金具１７ａは軸２０に対して回動可能に保持されている。ミラー保持部材１８ａは、保持部材１２にビス２２で固定されている。
【００２２】以上のような構成により、
ランプ１で発した照明光がコレクターレンズ６から横方向へ出射された後
下方または斜め下方に変えられ
試料へ照射
【００２３】なお、ミラー１６により変えられる照明光の方向は下方や斜め下方に限らず、横方向や上方にすることも可能である。この場合、ミラー保持部材１８ａの上面部と正面部（図１の（ａ）では左側面）に照明光を通過させるための空部を設ける。そして、コレクターレンズ６から横方向へ出射された照明光がミラー１６により横方向や上方へ反射されるよう、ミラー保持金具１７ａを回動しミラー１６の反射角度を調整する。
【００２４】
上述した構成をなす光源装置によれば、下方や斜め下方等への照明を行なう場合に、光源装置全体を水平に保つことができるため、遮光板１３，１４内及びハウジング１５内のランプ１により暖められた空気を上方へ放出し、より低温の外気を下方から流入させるという放熱効果を損なうことがなくなる。
「【００３６】（第３の実施の形態）図６の（ａ）は、
本発明の第３の実施の形態に係る光源装置の構成
【００３７】図６の（ａ），（ｂ）では、
支持部材１２ｆに回転部材２９が２本の軸３０により回転自在に保持
また、片方の軸３０と支持部材１２ｆとの間にバネワッシャー３１が押しつぶされるように配置されており、これにより回転部材２９は、軸３０，３０に対して回動可能に保持
レンズ枠９は、回転部材２９に嵌合挿入され図示しないビスによりセット
【００３８】
回転部材２９に固定された遮光板３３、支持部材１２ｆに固定された遮光板３２、及びハウジング１５ｆは、上記第１の実施の形態の場合と同様にランプ１の発する光を周囲に漏らさないようにランプ１を囲んでおり、これらはランプ１の点灯により暖められた空気が遮光板３２，３３とハウジング１５ｆとの間から上方に排出され、より低温の外気が下方から流入するように位置している。この関係は、回転部材２９が回転しても保持されるよう位置している。
【００３９】
以上のような構成により、照明光の出射方向を決定するコレクターレンズ６が回転部材２９と共に回動するため、照明光の出射方向を変えることができる。
【００４０】
上述した構成をなす光源装置によれば、上記第１の実施の形態の効果に加え、ミラーを用いて照明光の向きを変えるのではなく、照明光の出射方向そのものを変えることができるので、より効率の良い照明をすることができる。また、この光源装置を、通常の顕微鏡用光源装置やマクロ照明装置として用いることができる。また、投光管が水平に構成されていない場合でも、光源装置全体を水平に保ち任意の方向へ照射することができるため、放熱効果を損なうことの無い光源装置として使用することができる。
【図６】
　引用文献４には、
　「照明光を発するランプ１が、電源装置からの電源を電源コード２を介して供給するランプソケット３にランプ１の端子部で保持されており、
　ランプ１の発する光を集光し、照明光として特定の方向に出射するコレクターレンズ６と赤外線吸収フィルター７が、間隔部材８により所定の間隔をもって共にレンズ枠９とこれにねじ込まれるリング１０により保持されており、
　前記ランプソケット３及び前記レンズ枠９は連結部材４に固定されており、
　回転部材２９が支持部材１２ｆに２本の軸３０により回転自在に保持されており、
　前記回転部材２９には前記レンズ枠９がセットされており、回転部材２９とともに照明光の出射方向を決定するコレクターレンズ６が回動することにより照明光の出射方向が変更され、
　回転部材２９に固定された遮光板３３、支持部材１２ｆに固定された遮光板３２、及びハウジング１５ｆはランプ１を囲んでおり、これらはランプ１の点灯により暖められた空気が遮光板３２、３３とハウジング１５ｆとの間から上方に排出され、より低温の外気が下方から流入するように位置しており、この関係は回転部材２９が回転しても保持されるよう位置している、
　光源装置。」
が記載されている。
　そして、引用文献４には、当該構成をなす光源装置とすることで、「照明光の出射方向そのものを変えることができるので、より効率の良い照明をすることができる。また、この光源装置を、通常の顕微鏡用光源装置やマクロ照明装置として用いることができる。また、投光管が水平に構成されていない場合でも、光源装置全体を水平に保ち任意の方向へ照射することができるため、放熱効果を損なうことの無い光源装置として使用することができる。」（［００４０］）と記載されている。
　したがって、引用文献４には、ハウジング内にランプやレンズを収納した光源装置であって、レンズの向きを変えることで、光源から照射される光の出射方向を変えることができ、その際、光源装置全体は水平に保たれることで、放熱効果を損なうことの無い光源装置という技術的事項が記載されていると認められる。
第４　対比・判断
１．本願発明１について
（１）対比
　本願発明１と引用発明とを対比する。
　ア　引用発明の「一例として第１ＬＥＤ６ａは、それぞれ異なるリング状の位置に配置されるＬＥＤ６a1、６a2、６a3、６a4を含」むことは、「第１ＬＥＤ６ａ〜第６ＬＥＤ６ｆ」のすべてが、それぞれ異なるリング状の位置に配置される４つのＬＥＤを含むことを示すことは明らかである。
　そして、「それぞれ異なるリング状の位置に配置されるＬＥＤ６a1、６a2、６a3、６a4」が、「被写体」に照射方向が異なる光を照射することになることも明らかである。
　すると、それぞれ異なるリング状の位置に配置される４つのＬＥＤを含む「第１ＬＥＤ６ａ〜第６ＬＥＤ６ｆ」は、本願発明１の「撮像対象に対して、照射方向が異なる第一光及び第二光を照射する光源部」に相当する。
　イ　引用発明の「撮像素子部に含まれる撮像素子たるＣＣＤ８」は、本願発明１の「撮像部」に、また、引用発明の「前記それぞれ異なるリング状の位置に配置されるＬＥＤ６a1、６a2、６a3、６a4から同じ波長の光を、正反射する被写体７１に対して順次照射し撮像することで、」「取得され」た「上記各ＬＥＤ６a1、６a2、６a3、６a4に対応する高輝度点Ｐａ、Ｐｂ、Ｐｃ、Ｐｄが生じた正反射画像データ」は、「前記撮像対象に前記第一光を照射した際の第一分光画像、及び前記撮像対象に前記第二光を照射した際の第二分光画像」に、それぞれ、相当する。
　すると、引用発明の「この撮像光学系７により結像された被写体像を撮像して画像信号を出力する撮像素子部に含まれる撮像素子たるＣＣＤ８」であって、「第１ＬＥＤ６ａ〜第６ＬＥＤ６ｆは６種類の波長帯域の照明光（６原色の照明光）を被写体に順次照射し、６枚の被写体分光画像を静止画として取り込み、」「前記それぞれ異なるリング状の位置に配置されるＬＥＤ６a1、６a2、６a3、６a4から同じ波長の光を、正反射する被写体７１に対して順次照射し撮像することで、上記各ＬＥＤ６a1、６a2、６a3、６a4に対応する高輝度点Ｐａ、Ｐｂ、Ｐｃ、Ｐｄが生じた正反射画像データが取得され」る「ＣＣＤ８」は、本願発明１の「選択された波長の光を撮像して、前記撮像対象に前記第一光を照射した際の第一分光画像、及び前記撮像対象に前記第二光を照射した際の第二分光画像を取得する撮像部」に相当する。
　ウ　引用発明では、「高輝度点Ｐａ、Ｐｂ、Ｐｃ、Ｐｄ」の「画素データ」を除く処理が行われていることから、「高輝度点Ｐａ、Ｐｂ、Ｐｃ、Ｐｄ」を正常でない画素として抽出していることは自明であり、引用発明の「画素データ」及び「前記高輝度点Ｐａ、Ｐｂ、Ｐｃ、Ｐｄの画素」は、それぞれ、本願発明の「光量」及び「異常画素」に相当する。
　そして、引用発明において「高輝度点Ｐａ、Ｐｂ、Ｐｃ、Ｐｄ」を正常でない画素として抽出することが、「撮影装置１Ｃを統括的に制御する制御部たるＣＰＵ１８」で行われていることも明らかである。
　また、本願発明１の「基準物に前記第一光または第二光を照射した際に得られる基準光量に対する、前記第一分光画像における光量の比が所定値以上となる画素を異常画素として検出する」ことは、基準の光量より相当程度大きい光量である画素を異常画素としていることから、一定以上の高輝度の画素を検出しているといえる。
　すると、引用発明の、上記「高輝度点Ｐａ、Ｐｂ、Ｐｃ、Ｐｄ」を抽出している「ＣＰＵ１８」と、本願発明１の「基準物に前記第一光または第二光を照射した際に得られる基準光量に対する、前記第一分光画像における光量の比が所定値以上となる画素を異常画素として検出する画素検出部」とは、「高輝度画素を異常画素として検出する画素検出部」である点で一致する。
　エ　引用発明の「前記高輝度点Ｐａ、Ｐｂ、Ｐｃ、Ｐｄの画素データを除いた残りの画像データを加算、または、平均化することによって正反射の高輝度部分のない補正された被写体７１の分光画像データを得る」ことは、「この撮影装置１Ｃを統括的に制御する制御部たるＣＰＵ１８」で行われていることは明らかである。
　すると、引用発明の「前記高輝度点Ｐａ、Ｐｂ、Ｐｃ、Ｐｄの画素データを除いた残りの画像データを加算、または、平均化することによって正反射の高輝度部分のない補正された被写体７１の分光画像データを得る」「ＣＰＵ１８」と、本願発明１の「前記第一分光画像における前記異常画素の光量を、前記第二分光画像における前記異常画素と同位置となる画素の光量に置き換える光量補正部」とは、「前記第一分光画像における前記異常画素の光量を、前記第二分光画像を用いて補正する光量補正部」である点で一致する。
　オ　引用発明では「第１ＬＥＤ６ａ〜第６ＬＥＤ６ｆは６種類の波長帯域の照明光（６原色の照明光）を被写体に順次照射し、６枚の被写体分光画像を静止画として取り込」むのであるから、「６種類の波長帯域の照明光」毎に、「それぞれ異なるリング状の位置に配置される」４つのＬＥＤ「から同じ波長の光を、正反射する被写体７１に対して順次照射し撮像」して、「前記高輝度点Ｐａ、Ｐｂ、Ｐｃ、Ｐｄの画素データを除いた残りの画像データを加算、または、平均化することによって正反射の高輝度部分のない補正された被写体７１の分光画像データを得る」と認められる。
　すると、引用発明の上記構成と、本願発明１の「第一の波長の前記第一分光画像における前記異常画素の光量は、前記第一の波長の前記第二分光画像における前記異常画素と同位置となる前記画素の光量に置き換えられ、第二の波長の前記第一分光画像における前記異常画素の光量は、前記第二の波長の前記第二分光画像における前記異常画素と同位置となる前記画素の光量に置き換えられること」とは、「第一の波長の前記第一分光画像における前記異常画素の光量を、前記第一の波長の前記第二分光画像を用いて補正し、第二の波長の前記第一分光画像における前記異常画素の光量は、前記第二の波長の前記第二分光画像を用いて補正する」点で一致する。
　カ　引用発明における「被写体７１の分光画像データを得る撮影装置１」は、本願発明１における「分光カメラ」に相当する。
　したがって、本願発明１と引用発明との間には、次の一致点、相違点があるといえる。
（一致点）
「撮像対象に対して、照射方向が異なる第一光及び第二光を照射する光源部と、
　選択された波長の光を撮像して、前記撮像対象に前記第一光を照射した際の第一分光画像、及び前記撮像対象に前記第二光を照射した際の第二分光画像を取得する撮像部と、
　高輝度画素を異常画素として検出する画素検出部と、
　前記第一分光画像における前記異常画素の光量を、第二分光画像を用いて補正する光量補正部と、
　を備え、
　第一の波長の前記第一分光画像における前記異常画素の光量を、前記第一の波長の前記第二分光画像を用いて補正し、
　第二の波長の前記第一分光画像における前記異常画素の光量を、前記第二の波長の前記第二分光画像を用いて補正する分光カメラ。」
（相違点）
（相違点１）本願発明１は「前記撮像対象で反射された光を分光して所定の波長の光を選択する分光素子」という構成を備え、「分光素子により選択された波長の光を撮像して、」「第一波長の」「第一分光画像」及び「第二分光画像」並びに「第二波長の」「第一分光画像」及び「第二分光画像」を取
得するのに対し、引用発明は「前記第１ＬＥＤ６ａ〜第６ＬＥＤ６ｆは６種類の波長帯域の照明光（６原色の照明光）を被写体に順次照射し、６枚の被写体分光画像を静止画として取り込」む点。
（相違点２）異常画素検出部の構成に関して、本願発明１は「基準物に前記第一光または第二光を照射した際に得られる基準光量に対する、前記第一分光画像における光量の比が所定値以上となる画素を異常画素として検出する画素検出部」という構成を備えるのに対し、引用発明では「リング状の位置に配置されるＬＥＤ６a1、６a2、６a3、６a4から同じ波長の光を、正反射する被写体７１に対して順次照射し撮像することで、上記各ＬＥＤ６a1、６a2、６a3、６a4に対応する高輝度点Ｐａ、Ｐｂ、Ｐｃ、Ｐｄが生じた正反射画像データが取得され、前記高輝度点Ｐａ、Ｐｂ、Ｐｃ、Ｐｄの画素データを除」くとあり、高輝度点を異常画素として検出する点。
（相違点３）光量補正部の構成に関して、本願発明１は「前記第一分光画像における前記異常画素の光量を、前記第二分光画像における前記異常画素と同位置となる画素の光量に置き換える」という構成、及び「第一の波長の前記第一分光画像における前記異常画素の光量は、前記第一の波長の前記第二分光画像における前記異常画素と同位置となる前記画素の光量に置き換えられ、第二の波長の前記第一分光画像における前記異常画素の光量は、前記第二の波長の前記第二分光画像における前記異常画素と同位置となる前記画素の光量に置き換えられる」という構成を備えるのに対し、引用発明では「高輝度点の画素データを除いた残りの画像データを加算、または、平均化する」点。
（相違点４）照射方向が異なる光を照射するための構成として、本願発明１は「前記光源部は、発光体と、前記発光体から射出される光の進行方向を変更する方向変更部と、を備え、前記方向変更部は、レンズの姿勢を変更するレンズ角度変更部」を備えるのに対し、引用発明は「正反射する被写体７１に対して、一例としてそれぞれ異なるリング状の位置に配置される、ＬＥＤ６a1、６a2、６a3、６a4を含み、前記それぞれ異なるリング状の位置に配置されるＬＥＤ６a1、６a2、６a3、６a4から同じ波長の光を、正反射する被写体７１に対して順次照射し」ている点。
（２）相違点についての判断
　事案に鑑み最初に上記相違点４について検討する。
　相違点４に係る本願発明１の「前記光源部は、発光体と、前記発光体から射出される光の進行方向を変更する方向変更部と、を備え、前記方向変更部は、レンズの姿勢を変更するレンズ角度変更部を備える」という構成は、「レンズ角度変更部」がレンズの設置角度を変更することにより、光源部から「撮像対象に対して照射方向が異なる、第二光を照射する」ための構成と解されるものである。
　上記引用文献４には、レンズの向きを変えることで、光源から照射される光の出射方向を変えることが記載されているが、上記引用文献４に記載されているのは、ハウジング内にランプやレンズを収納した光源装置であって、レンズの向きを変えることで、光源から照射される光の出射方向を変えることができ、その際、光源装置全体は水平に保たれることで、放熱効果が損われないということであって、上記引用文献４には特定の対象に対し、異なる方向から光を照射するという技術事項は記載されていない。
　すると、上記引用文献１に記載の撮影対象を照射する光源部として、「それぞれ異なるリング状の位置に配置されるＬＥＤ」の構成を、上記引用文献４に記載の光源装置に変更する動機付けはない。
　また、本願発明１のレンズ角度変更部は上記引用文献２及び上記引用文献３には記載されていない。
　したがって、その他の相違点について判断するまでもなく、本願発明１は、当業者であっても引用発明、上記引用文献２、上記引用文献３及び上記引用文献４に記載された技術的事項に基づいて容易に発明できたものであるとはいえない。
２．本願発明２−５について
　本願発明２−５も、本願発明１の「前記光源部は、発光体と、前記発光体から射出される光の進行方向を変更する方向変更部と、を備え、前記方向変更部は、レンズの姿勢を変更するレンズ角度変更部を備え」るという同一の構成を備えるものであるから、本願発明１と同じ理由により、当業者であっても、引用発明、引用文献２、引用文献３及び引用文献４に記載された技術的事項に基づいて容易に発明できたものとはいえない。
第５　原査定の概要及び原査定についての判断
　本願発明１、２、３、４、５はそれぞれ、原査定がされた平成２９年２月２１日付け手続補正書における請求項１、２、７、８、９に係る発明（以下、それぞれ、「査定発明１」「査定発明２」「査定発明７」「査定発明８」「査定発明９」という。）に対応するものである。
　原査定は、査定発明１、２、８、９は上記引用文献１及び２に基づいて、査定発明７は上記引用文献１、２及び３に基づいて、さらに、請求項１０に係る発明は引用文献２及び３に基づいて、当業者が容易に発明できたものであるから、特許法第２９条第２項の規定により特許を受けることができないというものである。
　しかしながら、本願発明１−５は、それぞれ、「前記光源部は、発光体と、前記発光体から射出される光の進行方向を変更する方向変更部と、を備え、前記方向変更部は、レンズの姿勢を変更するレンズ角度変更部を備え」るという発明特定事項を有するものであり、上記第４での検討のとおり、引用文献１に記載された発明（引用発明）を主引例として、引用文献２、引用文献３及び引用文献４に記載された技術事項に基づいて、当業者が容易に発明できたものであるとはいえないものである。
　また、引用文献２に記載された発明を主引例として、引用文献１、引用文献３及び引用文献４に記載された事項を参照したとしても、上記第４での検討からみて、「前記光源部は、発光体と、前記発光体から射出される光の進行方向を変更する方向変更部と、を備え、前記方向変更部は、レンズの姿勢を変更するレンズ角度変更部を備え」るという発明特定事項を有する本願発明１−５は、当業者が容易に発明できたものであるとはいえないものである。
　したがって、原査定を維持することはできない。 
第６　当審拒絶理由について
１．特許法第３６条第６項第１号について
　当審では、平成２９年９月７日付け手続補正書における請求項３に係る発明は、「照射方向が異なる第一光及び第二光を照射する光源部」であって、「前記光源部は、第一光を照射する第一光源と、第二光を照射する第二光源を備え」、「前記光源部は、発光体と、前記発光体から射出される光の進行方向を変更する方向変更部と、を備え、前記方向変更部は、レンズの姿勢を変更するレンズ角度変更部を備え」る、分光カメラの発明であるが、本願の発明の詳細な説明には、光源部が二つあるような分光カメラについて、「方向変更部」を用いて異なる方向から撮像対象に対して光を照射することは記載されていないとの拒絶の理由を通知している。 
　また、請求項４−５に係る発明は、「撮像対象に対して光を照射する光源部と、前記撮像対象により第一方向に反射された光を分光して所定の波長の光を選択する第一の分光素子と、前記撮像対象により前記第一方向とは異なる第二方向に反射された光を分光して前記所定の波長の光を選択する第二の分光素子と、前記第一の分光素子により選択された波長の光を撮像し、第一分光画像を取得する第一撮像部と、前記第二の分光素子により選択された波長の光を撮像し、第二分光画像を取得する第二撮像部と」を備え、「前記光源部は、発光体と、前記発光体から射出される光の進行方向を変更する方向変更部」を備え、「前記方向変更部は、レンズの姿勢を変更するレンズ角度変更部を備え」る、分光カメラの発明である。しかしながら、本願の発明の詳細な説明には、第一分光画像を取得する第一撮像部と第二分光画像を取得する第二撮像部を備える分光カメラについて、「方向変更部」を用いて異なる方向から撮像対象に対して光を照射することは記載されていないとの拒絶の理由を通知しており、請求項９も同様との拒絶理由を通知している。
　しかしながら、平成３０年９月２０日にされた補正において、これらの請求項が削除されたため、この拒絶の理由は解消した。
２．特許法第３６条第６項第２号について
　当審では、平成２９年９月７日付け手続補正書における請求項８に係る発明は、「前記光源部は、発光体と、前記発光体から射出される光の進行方向を変更する方向変更部と、を備え、前記方向変更部は、レンズの姿勢を変更するレンズ角度変更部を備える」、分光画像処理方法の発明であるが、請求項８では、「前記発光体から射出される光の進行方向を変更する方向変更部」や、「レンズの姿勢を変更するレンズ角度変更部」が、分光画像処理方法の各ステップにおいてどのように作用するかが特定されておらず、その結果、請求項８に係る発明は、方法の発明として明確であるとはいえないとの拒絶の理由を通知している。
　これに対し、平成３０年９月２０日にされた補正において、「前記光源部は、発光体と、前記発光体から射出される光の進行方向を変更する方向変更部と、を備え、前記方向変更部は、レンズの姿勢を変更するレンズ角度変更部を備え、
　　　　　　　　　　　　　　　　　　…
　前記方向変更部が備える前記レンズ角度変更部が前記レンズの設置角度を変更することにより」と補正された結果、この拒絶の理由は解消した。
第７　むすび
　以上のとおり、本願発明１−５は、当業者が引用発明並びに引用文献２、引用文献３及び引用文献４に記載された技術的事項に基づいて、また、引用文献２に記載された発明、並びに、引用文献１、引用文献３及び引用文献４に記載された技術的事項に基づいて容易に発明をすることができたものではない。
　したがって、原査定の理由によっては、本願を拒絶することはできない。
　また、他に本願を拒絶すべき理由を発見しない。
　よって、結論のとおり審決する。